(57)【特許請求の範囲】
【請求項１】
接続チャネル切替手段によって接続チャネルを切替え、受信手段によって基地局から受信した電界強度を電界強度測定手段によって測定し、電界強度の大きいチャネルを選択して接続処理を行う携帯型通信機において、
前記電界強度測定手段は、前記接続チャネル切替手段によって測定チャネルを切替えた後、前記受信手段の群遅延による遅延時間の間に前記受信手段から出力され電界強度に対応する信号を測定することにより、前記チャネル切替え前の測定チャネルの電界強度を測定することを特徴とする携帯型通信装置。
【請求項２】
複数のアンテナと、前記複数のアンテナを切替えるアンテナ切替手段とを有し、
前記電界強度測定手段は、更に、前記アンテナ切替手段によって前記アンテナを切替えた後、前記受信手段の群遅延による遅延時間の間に前記受信手段から出力され電界強度に対応する信号を測定することにより、前記アンテナ切替え前の測定チャネルの電界強度を測定することを特徴とする請求項１記載の携帯型通信装置。
【請求項３】
前記電界強度測定手段は、前記受信手段からの信号を検出することにより電界強度を測定する測定手段と、前記測定手段、接続チャネル切替手段及びアンテナ切替手段のタイミングを制御する制御手段とを有し、
前記制御手段は、前記接続チャネル切替手段が測定チャネルを切替えた後に前記アンテナ切替手段が前記アンテナを切替え、その後に前記測定手段が前記受信手段の群遅延による遅延時間の間に前記受信手段から出力され電界強度に対応する信号を測定することにより前記アンテナ切替前の測定チャネルの電界強度を測定し、次に前記チャネル切替手段が測定チャネルを切替えた後に前記測定手段が前記受信手段の群遅延による遅延時間の間に前記受信手段から出力され電界強度に対応する信号を測定することにより前記チャネル切替前の測定チャネルの電界強度を測定するように制御すると共に、前記電界強度の測定を交互に行うように制御することを特徴とする請求項２記載の携帯型通信装置。
【請求項４】
前記制御手段は、クロック信号を計数する計数手段と、各々異なる計数値が予め設定される複数の計数値記憶手段と、前記計数手段の計数値と前記各計数値記憶手段に設定した計数値とを比較する比較手段とを有し、
前記制御手段は、前記計数手段の計数値が前記各計数値記憶手段に設定した計数値のいずれかに一致する毎に、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返すように、前記チャネル切替手段、アンテナ切替手段及び測定手段を制御することを特徴とする請求項３記載の携帯型通信装置。
【請求項５】
前記クロック信号は、前記受信手段で受信した信号を復調することによって得られるクロック信号であることを特徴とする請求項４記載の携帯型通信装置。
【請求項６】
測定チャネル数を設定する測定チャネル数設定手段を備え、前記制御手段は、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返して行う電界強度の測定を、前記測定チャネル数設定手段で設定されたチャネル数分だけ行うことを特徴とする請求項５記載の携帯型通信装置。
【請求項７】
接続チャネル切替え手段によって接続チャネルを切替え、受信手段によって受信した電界強度を受信電界強度測定手段によって測定する電界強度測定装置において、
前記電界強度測定手段は、前記接続チャネル切替手段によって測定チャネルを切替えた後、前記受信手段の群遅延による遅延時間の間に前記受信手段から出力され電界強度に対応する信号を測定することにより、前記チャネル切替え前の測定チャネルの電界強度を測定することを特徴とする電界強度測定装置。
【請求項８】
複数のアンテナと、前記複数のアンテナを切替えるアンテナ切替手段とを有し、
前記電界強度測定手段は、更に、前記アンテナ切替手段によって前記アンテナを切替えた後、前記受信手段の群遅延による遅延時間の間に前記受信手段から出力され電界強度に対応する信号を測定することにより、前記アンテナ切替え前の測定チャネルの電界強度を測定することを特徴とする請求項７記載の電界強度測定装置。
【請求項９】
前記電界強度測定手段は、前記受信手段からの信号を検出することにより電界強度を測定する測定手段と、前記測定手段、接続チャネル切替手段及びアンテナ切替手段のタイミングを制御する制御手段とを有し、
前記制御手段は、前記接続チャネル切替手段が測定チャネルを切替えた後に前記アンテナ切替手段が前記アンテナを切替え、その後に前記測定手段が前記受信手段の群遅延による遅延時間の間に前記受信手段から出力され電界強度に対応する信号を測定することにより前記アンテナ切替前の測定チャネルの電界強度を測定し、次に前記チャネル切替手段が測定チャネルを切替えた後に前記測定手段が前記受信手段の群遅延による遅延時間の間に前記受信手段から出力され電界強度に対応する信号を測定することにより前記チャネル切替前の測定チャネルの電界強度を測定するように制御すると共に、前記電界強度の測定を交互に行うように制御することを特徴とする請求項８記載の電界強度測定装置。
【請求項１０】
前記制御手段は、クロック信号を計数する計数手段と、各々異なる計数値が予め設定される複数の計数値記憶手段と、前記計数手段の計数値と前記各計数値記憶手段に設定した計数値とを比較する比較手段とを有し、
前記制御手段は、前記計数手段の計数値が前記各計数値記憶手段に設定した計数値のいずれかに一致する毎に、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返すように、前記チャネル切替手段、アンテナ切替手段及び測定手段を制御することを特徴とする請求項９記載の電界強度測定装置。
【請求項１１】
前記クロック信号は、前記受信手段で受信した信号を復調することによって得られるクロック信号であることを特徴とする請求項１０記載の電界強度測定装置。
【請求項１２】
測定チャネル数を設定する測定チャネル数設定手段を備え、前記制御手段は、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返して行う電界強度の測定を、前記測定チャネル数設定手段で設定されたチャネル数分だけ行うことを特徴とする請求項１１記載の電界強度測定装置。
【発明の詳細な説明】
【０００１】
【発明の属する技術分野】
本発明は、携帯電話等の携帯型通信装置及び携帯型通信装置に適した電界強度測定装置に関する。
【０００２】
【従来の技術】
従来から、携帯電話やＰＨＳ（Personal Handyphone System）等の携帯型通信装置では、電界強度を測定して、電界強度の大きい基地局のチャネルに接続するようにしている（例えば、特開平８−１８４７９号公報、特開平９−１９６９８５号公報、特開平９−３０７９４２号公報、特開２００１−９５０２８号公報参照。）
前記携帯型通信装置は、受信した電界強度を測定するための電界強度測定装置を内蔵しており、受信部から出力されるＲＳＳＩ信号は電界強度に比例する特性を有するため、ＲＳＳＩ信号のレベルにより電界強度を測定するようにしている。
【０００３】
図２は、一般的な携帯電話機のブロック図である。
図２において、受信専用アンテナ（ＲＸ−ＡＮＴ）１０２と送受信兼用アンテナ（ＴＲＸ−ＡＮＴ）１０１はアンテナ切替部１０３に接続されている。
アンテナ１０２によって受信された基地局の電界は、アンテナ切替部１０３に入力される。アンテナ１０１によって受信された基地局の電界は、アンテナ切替部１０３に入力される。
アンテナ１０３は、切替制御信号１１１に応答してアンテナ１０２又はアンテナ１０１を選択し、受信電界を受信部１０４に入力する。
受信部１０４によって受信された信号は、中間周波（ＩＦ）信号１１３に変換され、復調部１０８に入力される。
【０００４】
復調部１０８は、ＩＦ信号１１３を復調して、クロック信号（ＣＬＫ）１１５と音声信号あるいはデータ信号（ＤＡＴＡ）１１４を制御部１０９へ出力する。
また、受信部１０４は、受信電界に比例したＲＳＳＩ信号１１２をベースバンド部１０７に含まれるＡＤ変換器（図示せず）に出力する。
ベースバンド部１０７は、生成した信号を送信部１０５に出力し、送信部１０５では、搬送波に信号に従った変調を加え、増幅した後、アンテナ切替部１０３に出力し、アンテナ１０１より送信する。
【０００５】
局部発振部１０６は、制御部１０９からのチャネル切替信号１１７に従って、各チャネル毎の局部発振周波数を受信部１０４と送信部１０５に与える。
図１０は従来の携帯電話機における受信レベル測定のタイミングを示すタイミングで又、図１１は従来の携帯電話機における受信レベル測定のフローチャートである。
【０００６】
以下、図２、図１０、図１１を用いて、従来の携帯電話機について説明する。
図１１において、先ず測定チャネル（ＣＨ）数を設定する（ステップＦ２０１）。次に、測定するチャネルを指定した後（ステップＦ２０２）、計時するためのタイマをスタートする（ステップＦ２０３）。
次に、タイマＡが所定時間（チャネル切替ロック時間と受信遅延時間との和）を計時した後（ステップＦ２０４）、ＡＤ変換を行う（ステップＦ２０５）。
次に、タイマＢが所定時間計時した後（ステップＦ２０６）、アンテナの切替えを行う（ステップＦ２０７）。
【０００７】
次に、タイマＣが所定時間計時した後（ステップＦ２０８）、ＡＤ変換を行う（ステップＦ２０９）。
次に、タイマＤが所定時間計時した後（ステップＦ２１０）、予め設定した測定チャネル数に達した場合には処理を終了し、前記測定チャネル数に満たない場合には、ステップＦ２０２に戻って前記処理を繰り返す（ステップＦ２１１）。
前記処理によって電界強度の測定が可能であり、電界強度の大きいチャネルに接続処理を行う。
【０００８】
【発明が解決しようとする課題】
しかしながら、前述した電界強度測定処理では、各チャネルにおける電界強度の測定を単に続けて行っているのみであるため、測定に長時間を要するという問題がある。
本発明は、短時間で電界強度を測定できるようにすることを課題としている。
【０００９】
【課題を解決するための手段】
本発明によれば、接続チャネル切替手段によって接続チャネルを切替え、受信手段によって基地局から受信した電界強度を電界強度測定手段によって測定し、電界強度の大きいチャネルを選択して接続処理を行う携帯型通信機において、前記電界強度測定手段は、前記接続チャネル切替手段によって測定チャネルを切替えた後、前記受信手段の群遅延による遅延時間の間に前記受信手段から出力され電界強度に対応する信号を測定することにより、前記チャネル切替え前の測定チャネルの電界強度を測定することを特徴とする携帯型通信装置が提供される。電界強度測定手段は、接続チャネル切替手段によって測定チャネルを切替えた後、受信手段の群遅延による遅延時間の間に受信手段から出力され電界強度に対応する信号を測定することにより、前記チャネル切替え前の測定チャネルの電界強度を測定する。
【００１０】
ここで、複数のアンテナと、前記複数のアンテナを切替えるアンテナ切替手段とを有し、前記電界強度測定手段は、更に、前記アンテナ切替手段によって前記アンテナを切替えた後、前記受信手段の群遅延による遅延時間の間に前記受信手段から出力され電界強度に対応する信号を測定することにより、前記アンテナ切替え前の測定チャネルの電界強度を測定するように構成してもよい。
また、前記電界強度測定手段は、前記受信手段からの信号を検出することにより電界強度を測定する測定手段と、前記測定手段、接続チャネル切替手段及びアンテナ切替手段のタイミングを制御する制御手段とを有し、前記制御手段は、前記接続チャネル切替手段が測定チャネルを切替えた後に前記アンテナ切替手段が前記アンテナを切替え、その後に前記測定手段が前記受信手段の群遅延による遅延時間の間に前記受信手段から出力され電界強度に対応する信号を測定することにより前記アンテナ切替前の測定チャネルの電界強度を測定し、次に前記チャネル切替手段が測定チャネルを切替えた後に前記測定手段が前記受信手段の群遅延による遅延時間の間に前記受信手段から出力され電界強度に対応する信号を測定することにより前記チャネル切替前の測定チャネルの電界強度を測定するように制御すると共に、前記電界強度の測定を交互に行うように制御するように構成してもよい。
【００１１】
また、前記制御手段は、クロック信号を計数する計数手段と、各々異なる計数値が予め設定される複数の計数値記憶手段と、前記計数手段の計数値と前記各計数値記憶手段に設定した計数値とを比較する比較手段とを有し、前記制御手段は、前記計数手段の計数値が前記各計数値記憶手段に設定した計数値のいずれかに一致する毎に、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返すように、前記チャネル切替手段、アンテナ切替手段及び測定手段を制御するように構成してもよい。
【００１２】
また、前記クロック信号は、前記受信手段で受信した信号を復調することによって得られるクロック信号であるように構成してもよい。
また、測定チャネル数を設定する測定チャネル数設定手段を備え、前記制御手段は、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返して行う電界強度の測定を、前記測定チャネル数設定手段で設定されたチャネル数分だけ行うように構成してもよい。
【００１３】
また、本発明によれば、接続チャネル切替え手段によって接続チャネルを切替え、受信手段によって受信した電界強度を受信電界強度測定手段によって測定する電界強度測定装置において、前記電界強度測定手段は、前記接続チャネル切替手段によって測定チャネルを切替えた後、前記受信手段の群遅延による遅延時間の間に前記受信手段から出力され電界強度に対応する信号を測定することにより、前記チャネル切替え前の測定チャネルの電界強度を測定することを特徴とする電界強度測定装置が提供される。電界強度測定手段は、接続チャネル切替手段によって測定チャネルを切替えた後、受信手段の群遅延による遅延時間の間に前記受信手段から出力され電界強度に対応する信号を測定することにより、前記チャネル切替え前の測定チャネルの電界強度を測定する。
【００１４】
ここで、複数のアンテナと、前記複数のアンテナを切替えるアンテナ切替手段とを有し、前記電界強度測定手段は、更に、前記アンテナ切替手段によって前記アンテナを切替えた後、前記受信手段の群遅延による遅延時間の間に前記受信手段から出力され電界強度に対応する信号を測定することにより、前記アンテナ切替え前の測定チャネルの電界強度を測定するように構成してもよい。
また、前記電界強度測定手段は、前記受信手段からの信号を検出することにより電界強度を測定する測定手段と、前記測定手段、接続チャネル切替手段及びアンテナ切替手段のタイミングを制御する制御手段とを有し、前記制御手段は、前記接続チャネル切替手段が測定チャネルを切替えた後に前記アンテナ切替手段が前記アンテナを切替え、その後に前記測定手段が前記受信手段の群遅延による遅延時間の間に前記受信手段から出力され電界強度に対応する信号を測定することにより前記アンテナ切替前の測定チャネルの電界強度を測定し、次に前記チャネル切替手段が測定チャネルを切替えた後に前記測定手段が前記受信手段の群遅延による遅延時間の間に前記受信手段から出力され電界強度に対応する信号を測定することにより前記チャネル切替前の測定チャネルの電界強度を測定するように制御すると共に、前記電界強度の測定を交互に行うように制御するように構成してもよい。
【００１５】
また、前記制御手段は、クロック信号を計数する計数手段と、各々異なる計数値が予め設定される複数の計数値記憶手段と、前記計数手段の計数値と前記各計数値記憶手段に設定した計数値とを比較する比較手段とを有し、前記制御手段は、前記計数手段の計数値が前記各計数値記憶手段に設定した計数値のいずれかに一致する毎に、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返すように、前記チャネル切替手段、アンテナ切替手段及び測定手段を制御するように構成してもよい。
【００１６】
また、前記クロック信号は、前記受信手段で受信した信号を復調することによって得られるクロック信号であるように構成してもよい。
また、測定チャネル数を設定する測定チャネル数設定手段を備え、前記制御手段は、前記チャネル切替手段によるチャネル切替え、前記アンテナ切替手段によるアンテナ切替え、前記測定手段による電界強度測定、前記チャネル切替手段によるチャネル切替え、前記測定手段による電界強度測定の順で繰り返して行う電界強度の測定を、前記測定チャネル数設定手段で設定されたチャネル数分だけ行うように構成してもよい。
【００１７】
【発明の実施の形態】
図１は本発明の実施の形態に係る携帯型通信装置の外観を示す図で、携帯電話機の例を示している。
図１において、携帯電話機は、アンテナ１１、受話部１２、表示部１３、操作部１４、送話部１５を備えている。
本実施の形態に係る携帯電話機は前述した図２の回路ブロックを備えており、図２についてあらためて詳細に説明する。
【００１８】
図２において、受信専用アンテナ（ＲＸ−ＡＮＴ）１０２と送受信兼用アンテナ（ＴＲＸ−ＡＮＴ）１０１はアンテナ切替部１０３に接続されている。ここで、アンテナ切替部１０３はアンテナ切替手段を構成している。
アンテナ切替部１０３の出力部は受信部１０４の入力部に接続されている。ここで、受信部１０４は受信手段を構成している。
受信部１０４の一方の出力部は復調部１０８を介して制御部１０９に接続され、受信部１０４の他方の出力部はベースバンド部１０７の入力部に接続されている。ここで、ベースバンド部１０７はＡＤ変換器を有しており、測定手段を構成している。また、制御部１０９は制御手段を構成し、ベースバンド部１０７及び制御部１０９は電界強度測定手段を構成している。
【００１９】
ベースバンド部１０７の制御入力部は制御部１０９に接続され又、ベースバンド部１０７の出力部は送信手段を構成する送信部１０５を介してアンテナ切替部１０３に接続されている。また、制御部１０９は局部発振部１０６を介して受信部１０４及び送信部１０５に接続されている。局部発信部１０６及び制御部１０９は接続チャネル切替手段を構成している。
アンテナ１０２によって受信された基地局の電界は、アンテナ切替部１０３に入力される。アンテナ１０１によって受信された基地局の電界は、アンテナ切替部１０３に入力される。
【００２０】
アンテナ切替部１０３は、制御部１０９からのアンテナ切替制御信号１１１に応答してアンテナ１０１又はアンテナ１０２を切替え選択し、受信電界を受信部１０４に入力する。
受信部１０４によって受信された信号は、中間周波（ＩＦ）信号１１３に変換され、復調部１０８に入力される。
復調部１０８は、ＩＦ信号１１３を復調して、クロック信号（ＣＬＫ）１１５と音声信号あるいはデータ信号（ＤＡＴＡ）１１４を制御部１０９へ出力する。
また、受信部１０４は、受信電界に比例するＲＳＳＩ信号１１２をベースバンド部１０７に含まれるＡＤ変換器（図示せず）に出力する。
【００２１】
ベースバンド部１０７は、生成した信号を送信部１０５に出力し、送信部１０５では、搬送波に信号に従った変調を加え、増幅した後、アンテナ切替部１０３に出力し、アンテナ１０１より送信する。
局部発振部１０６は、制御部１０９からのチャネル切替信号１１７に従って、各チャネル毎に異なる局部発振周波数の信号を受信部１０４と送信部１０５に与える。
本実施の形態に係る携帯電話システムでは、図３に示すようなタイムスロット構成を有する。図３に示す受信スロット受信完了時に、図２の復調部１０８から出力される受信データ１１４を制御部１０９が解析し、内部信号として受信完了割り込みを発生する。前記割り込み発生後、図３のアイドルスロットにおいて、周辺基地局のチャネル（ＣＨ）の受信レベル測定を行う。
【００２２】
図４は、本実施の形態において、アイドルスロットでの受信レベル測定の全体のタイミングを示す図である。従来の一連のチャネルの受信レベル測定がオーバーラップすることで、測定時間の短縮が図られている様子を示している。
図５は、図９のフローチャートに従って制御を行った時のタイミングを示すタイミング図である。
【００２３】
図６及び図７は、本実施の形態に使用する受信部１０４（図２参照）の遅延特性であり、受信レベルの短時間での測定に、前記各遅延特性を利用している。図６及び図７における時間Ｄは、受信部１０４の群遅延による遅延時間を示している。この区間は、ＲＳＳＩが変化しない特性がある。本実施の形態は、この遅延特性を活用し、受信レベルの測定時間を短縮している。
【００２４】
図８は、本実施の形態に係る制御部１０９の詳細を示したブロック図である。図８において、制御部１０９は、中央処理装置（ＣＰＵ）１、計数動作を行うタイマ（カウンタ）２、複数のレジスタ３、５、Ｎ１と複数の比較器４、６、Ｎ２の対を備えている。ここで、タイマ２は計数手段を構成し、レジスタ３、５、Ｎ１は計数値記憶手段を構成し又、比較器４、６、Ｎ２は比較手段を構成している。
ＣＰＵ１は、タイマ２に接続されており、タイマ２のリセットスタートを行う。タイマ２には、外部より、クロック信号（ＣＬＫ）が入力される。タイマ２は、リセットスタートすると、クロック信号の１クロック毎に計数値をインクリメントする。タイマ２の計数値は、各比較器４、６、Ｎ２に入力される。
【００２５】
ＣＰＵ１は、各レジスタ３、５、Ｎ１にタイムアップの計数値を予め書き込むことによって設定する。各レジスタ３、５、Ｎ１は、設定された計数値を比較器４、６、Ｎ２に出力する。各比較器４、６、Ｎ２は、タイマ２と各レジスタ３、５、Ｎ１の計数値を比較して、計数値が等しくなると、ＣＰＵ１に一致信号を出力する。
図９は、本実施の形態の処理を示すフローチャートであり、主として図２の制御回路１０９によって実行される。
【００２６】
以下、図１〜図９を用いて、本実施の形態の動作を詳細に説明する。
先ず、携帯電話機の内部信号として、受信完了割り込みが発生すると、図９の処理を開始する。
最初に、Ｎ＝０とする（ステップＦ１０１）。次に、予め決められた値をレジスタ３、５、Ｎ１に設定することで、各タイマ値を設定する（ステップＦ１０２）。即ち、図８において、ＣＰＵ１は、各レジスタ３、５、Ｎ１に所定の各異なる計数値を書き込む。
【００２７】
次に、操作部１４を操作することにより測定チャネル数を設定し、あるいは、予め定められた測定チャネル数を設定する（ステップＦ１０３）。前記測定チャネル数は図示しないメモリに記憶される。ここで、ステップＦ１０３は測定チャネル数設定手段を構成している。
次に、タイマ２をリセットスタートさせる（ステップＦ１０４）。即ち、図８において、ＣＰＵ１は、タイマ２をリセットスタートする。
次に、測定する第１番目のチャネルを指定する（ステップＦ１０５）。即ち、図２において、制御部１０９は、局部発振部１０６に発振周波数に対応する数値データを書き込むことによって、局部発振部１０６の発振周波数を設定することにより、チャンネル指定を行う。
【００２８】
次に、タイマ（Ｎ＋１）の完了を待つ（ステップＦ１０６）。即ち、図８において、比較器（（Ｎ＋１）４＋１０＊Ｎ）は、レジスタ（（Ｎ＋１）３＋１０＊Ｎ）の数値とタイマ２の出力値が合致すると、ＣＰＵ１に信号を発生する。ＣＰＵ１は、この信号で次の処理フローに移行する。
次に、比較器（（Ｎ＋１）４＋１０＊Ｎ）は、レジスタ（（Ｎ＋１）３＋１０＊Ｎ）の数値とタイマ２の計数値が一致するとアンテナ１０１、１０２を切り替える（ステップＦ１０７）。即ち、図２において、制御部１０９はアンテナ切替部１０４を制御して、その時点で受信部１０４に接続されていない方のアンテナに切り替える。
【００２９】
次に、タイマ（Ｎ＋２）の完了を待る（ステップＦ１０８）。即ち、図８において、比較器（（Ｎ＋２）６＋１０＊Ｎ）は、レジスタ（（Ｎ＋２）５＋１０＊Ｎ）の計数値とタイマ２の出力値が合致すると、ＣＰＵ１に一致信号を出力する。ＣＰＵ１は、前記一致信号を受信して次の処理フローに移行する。
次に、アナログデジタル（ＡＤ）変換を行う（ステップＦ１０９）。即ち、図２において、制御部１０９はベースバンド部１０７の有するＡＤコンバータ（図示せず）を起動し、前記ＡＤ変換によってデジタル化されたＲＳＳＩ信号値を読み込む。受信部１０４のＲＳＳＩ信号出力１１２は、ベースバンド部１０７のＡＤコンバータに接続されているため、制御部１０９は、前記一致信号が発生したタイミングで、電界強度の受信レベルに相当する信号レベルをＡＤコンバータの出力値として読み込むことになる。
【００３０】
次に、タイマ（Ｎ＋３）の完了を待つ（ステップＦ１１０）。即ち、図８において、比較器（（Ｎ＋３）８＋１０＊Ｎ）は、レジスタ（（Ｎ＋３）７＋１０＊Ｎ）の計数値とタイマ２の出力値が合致すると、ＣＰＵ１に一致信号を発生する。ＣＰＵ１は、前記一致信号に応答して次の処理に移行する。
次に、次の測定チャネルを指定する（ステップＦ１１１）。即ち、図２において、制御部１０９は、局部発振部１０６に局部発振周波数（測定チャネルに対応する局部発振周波数）を指定するための数値データを書き込むことで、測定チャネルの指定を行う。
【００３１】
次に、タイマ（Ｎ＋４）の完了を待つ（ステップＦ１１２）。即ち、図８において、比較器（（Ｎ＋４）１０＋１０＊Ｎ）は、レジスタ（（Ｎ＋４）１１＋１０＊Ｎ）の数値とタイマ２の出力値が合致すると、ＣＰＵ１に一致信号を発生する。ＣＰＵ１は、前記一致信号に応答して次の処理フローに移行する。
次に、アナログデジタル（ＡＤ）変換を行う（ステップＦ１１３）。即ち、図２において、制御部１０９はベースバンド部１０７の有するＡＤコンバータ（図示せず）を起動し、前記ＡＤ変換によってデジタル化されたＲＳＳＩ信号値を読み込む。受信部１０４のＲＳＳＩ信号出力１１２は、ベースバンド部１０７のＡＤコンバータに接続されているため、制御部１０９は、前記一致信号が発生したタイミングで、電界強度の受信レベルに相当する信号レベルをＡＤコンバータの出力値として読み込むことになる。
【００３２】
次に、Ｎを１だけインクリメントする（ステップＦ１１４）。設定されたチャネル数の測定が完了すると処理を完了し、未了の場合は、ステップＦ１０６へ戻って前記処理を繰り返す（ステップＦ１１５）。
以上のように、受信部１０４の遅延特性が、アンテナ切替えやチャネル切替えを行った場合でも、群遅延による遅延時間Ｄの間はＲＳＳＩが変化しないことに着目して、ＡＤ変換の前にアンテナ切替えやチャネル指定を行うことで、時間を短縮している。
【００３３】
例えば、図５、図６、図７の群遅延時間Ｄ＝５０ｕｓ、図５、図６のチャネル切替ロック時間＝３００ｕｓ、図５、図６、図７の受信遅延時間＝１５０ｕｓとすると、図４に示すような４チャネルの受信レベル測定に要する時間は、２０５０ｕｓとなる。従来の方法では、２４００ｕｓ要することになるので、３５０ｕｓ（約１５％）の短縮となる。
尚、図８のクロック信号として、図２の復調器１０８の出力クロック信号１１５を使用することにより、復調クロックに同期したタイミング動作となるため、携帯電話システムに同期することになり、より正確なタイミングで処理を行うことが可能になる。
【００３４】
以上述べたように、本実施の形態に係る携帯型通信装置及び電界強度測定装置は、特に、ベースバンド部１０７及び制御部１０９によって構成される界強度測定手段は、局部発信部１０６及び制御部１０９によって構成される接続チャネル切替手段によって測定チャネルを切替えた後、受信部１０４の群遅延による遅延時間の間に受信部１０４から出力され電界強度に対応する信号（ＲＳＳＩ信号）のレベルを測定することにより、前記チャネル切替え前の測定チャネルの電界強度を測定することを特徴としている。
【００３５】
また、複数のアンテナ１０１、１０２と、複数のアンテナ１０１、１０２を切替えるアンテナ切替部１０３とを有し、前記電界強度測定手段は、更に、アンテナ切替部１０３によってアンテナ１０１、１０２を切替えた後、受信部１０４の群遅延による遅延時間の間に受信部１０４から出力され電界強度に対応する信号のレベルを測定することにより、前記アンテナ切替え前の測定チャネルの電界強度を測定するようにしている。
【００３６】
また、前記電界強度測定手段は、受信部１０４からのＲＳＳＩ信号のレベルを検出することにより電界強度を測定するベースバンド部１０７と、ベースバンド部１０７、接続チャネル切替手段及びアンテナ切替部１０３のタイミングを制御する制御部１０９とを有し、制御部１０９は、前記接続チャネル切替手段が測定チャネルを切替えた後にアンテナ切替部１０３がアンテナ１０１、１０２を切替え、その後にベースバンド部１０７が受信部１０４の群遅延による遅延時間の間に受信部１０４から出力され電界強度に対応する信号のレベルを測定することにより前記アンテナ切替前の測定チャネルの電界強度を測定し、次に前記チャネル切替手段が測定チャネルを切替えた後にベースバンド部１０７が受信部１０４の群遅延による遅延時間の間に受信部１０４から出力され電界強度に対応する信号のレベルを測定することにより前記チャネル切替前の測定チャネルの電界強度を測定するように制御すると共に、前記電界強度の測定を交互に行うように制御することを特徴としている。
【００３７】
また、測定チャネル数を設定する測定チャネル数設定手段を備え、制御部１０９は、前記チャネル切替手段によるチャネル切替え、アンテナ切替部１０３によるアンテナ切替え、ベースバンド部１０７による電界強度測定、前記チャネル切替手段によるチャネル切替え、ベースバンド部１０７による電界強度測定の順で繰り返して行う電界強度の測定を、前記測定チャネル数設定手段で設定されたチャネル数分だけ行うことを特徴としている。
【００３８】
したがって、受信レベルの測定時間が短縮される。また、受信レベルの測定の間に消費される電力が減少し、低消費電力化が可能になる。
また、短時間で、多くのチャネルの周辺レベル測定が可能となり、より早く、良好なチャネルに切替移行できることでより品質の良い回線維持がとなる。
また、短時間で、共通制御チャネル（止まり木チャネル）のスキャンを完了できるため、電源ＯＮから待ち受けまでの時間が短縮される。
【００３９】
また、短時間で、止まり木チャネルスキャンを完了できるため、制御チャネルの同期が取れなくなってから、次の制御チャネルで待ち受けるまでの時間が短縮でき、着信損失を軽減することが可能になる。
また、前記クロック信号は、受信部１０４で受信した信号を復調部１０８で復調することによって得られるクロック信号であることを特徴としているので、正確なタイミングで受信レベルの測定処理を行うことが可能になる。
【００４０】
また、制御部１０９は、クロック信号を計数するカウンタ２と、各々異なる計数値が予め設定される複数のレジスタ３、５、Ｎ１と、カウンタ２の計数値と各レジスタ３、５、Ｎ１に設定した計数値とを比較する比較器４、６、Ｎ２とを有し、制御部１０９は、カウンタ２の計数値が各レジスタ３、５、Ｎ１に設定した計数値のいずれかに一致する毎に、前記チャネル切替手段によるチャネル切替え、アンテナ切替部１０３によるアンテナ１０１、１０２の切替え、ベースバンド部１０７による電界強度測定、前記チャネル切替手段によるチャネル切替え、ベースバンド部１０７による電界強度測定の順で繰り返すように、前記チャネル切替手段、アンテナ切替部１０３及びベースバンド部１０７を制御することを特徴としている。したがって、簡単な構成により、受信レベルの測定を短時間で行うことが可能になる。
尚、前記実施の形態では携帯型通信装置の例として携帯電話機の例で説明したが、ＰＨＳやＰＤＡ等の携帯型通信装置に適用することが可能であり、又、携帯電話やＰＨＳ等の携帯型通話装置に適している。
【００４１】
【発明の効果】
本発明によれば、短時間で電界強度を測定可能な携帯型通信装置を提供することが可能になる。
本発明によれば、短時間で電界強度を測定可能な電界強度測定装置を提供することが可能になる。
【図面の簡単な説明】
【図１】  本発明の実施の形態に係る携帯電話機の外観図である。
【図２】  本発明の実施の形態に係る携帯電話機のブロック図である。
【図３】  本発明の実施の形態に使用する信号を示す図である。
【図４】  本発明の実施の形態における受信レベル測定全体のタイミング図である。
【図５】  本発明の実施の形態における受信レベル測定処理を説明するためのタイミング図である。
【図６】  本発明の実施の形態に使用する受信部の遅延特性を示す図である。
【図７】  本発明の実施の形態に使用する受信部の遅延特性を示す図である。
【図８】  本発明の実施の形態に使用する制御部のブロック図である。
【図９】  本発明の実施の形態の処理を示すフローチャートである。
【図１０】  従来の携帯電話機における受信レベル測定のタイミングを示すタイミング図である。
【図１１】  従来の携帯電話機における受信レベル測定のフローチャートである。
【符号の説明】
１・・・ＣＰＵ
２・・・計数手段を構成するタイマ
３、５、Ｎ１・・・計数値記憶手段を構成するレジスタ
４、６、Ｎ２・・・比較手段を構成する比較器
１０１、１０２・・・アンテナ
１０３・・・アンテナ切替手段を構成するアンテナ切替部
１０４・・・受信手段を構成する受信部
１０５・・・送信手段を構成する送信部
１０６・・・接続チャネル切替手段を構成する局部発振部
１０７・・・電界強度測定手段を構成するベースバンド部
１０８・・・復調手段を構成する復調部
１０９・・・電界強度測定手段を構成する制御部
【図１】
0003653034.tif 000002
【図２】
0003653034.tif 000003
【図３】
0003653034.tif 000004
【図４】
0003653034.tif 000005
【図５】
0003653034.tif 000006
【図６】
0003653034.tif 000007
【図７】
0003653034.tif 000008
【図８】
0003653034.tif 000009
【図９】
0003653034.tif 000010
【図１０】
0003653034.tif 000011
【図１１】
0003653034.tif 000012